(57)【要約】【課題】内容物が粉状物や粒状物、特に粉状物であった場合であっても、最後まで完全に脱気することができる逆止弁付き包材の真空吸引構造を提供しようとする。【解決手段】内容物を収納する通気性袋と、前記通気性袋に内蔵したスペーサとを備え、前記スペーサを内蔵した通気性袋をフィルム状あるいはシート状包材に収納するとともに、前記包材内を真空吸引して前記内容物に含まれているエアを通気性袋を経て脱気するようにしたことを特徴とする逆止弁付き包材の真空吸引構造。【選択図】図１
2019199298.tif 000002
【特許請求の範囲】
【請求項１】
内容物を収納する通気性袋と、前記通気性袋に内蔵したスペーサとを備え、
前記スペーサを内蔵した通気性袋をフィルム状あるいはシート状包材に収納するとともに、
前記包材内を真空吸引して前記内容物に含まれているエアを通気性袋を経て脱気するようにしたことを特徴とする逆止弁付き包材の真空吸引構造。
【請求項２】
前記内容物を収納する通気性袋が、不織布からなることを特徴とする請求項１に記載の逆止弁付き包材の真空吸引構造。
【請求項３】
前記スペーサが、連通気泡の発泡体からなる通気性スペーサからなることを特徴とする請求項１または２に記載の逆止弁付き包材の真空吸引構造。
【請求項４】
前記スペーサが、外周に長さ方向に沿った複数の凹溝を備えた棒状体ないし板状体からなることを特徴とする請求項１または２に記載の逆止弁付き包材の真空吸引構造。
【発明の詳細な説明】
【技術分野】
【０００１】
本発明は変形可能な包材（例えば軟質容器）の内容物の充填口に開閉機構を備え、かつ包材の適所に逆止弁を取り付けて包材内の空気を迅速に排出することができる逆止弁付き包材に関し、詳しくはその真空吸引構造に関する。
【背景技術】
【０００２】
本発明者は先に特許第５６３３０６３号公報（特許文献１参照）において、プラスチックフィルム製の包材と、該包材の開口部へ溶着して該包材内に収納した筒状フィルム製の外筒と、該外筒に内装され、上端に真空ポンプのチューブを装着する脱気口を突設した逆止弁用のハウジングと、該ハウジング内において弁口を前記脱気口側に向けて配設された逆止弁と、該逆止弁の開口部に延長チューブで連結されたフィルタ部材とを備え、別途用意した真空ポンプのチューブを前記外筒内のハウジングの脱気口に装着し、真空ポンプを作動して前記包材内の空気を排出した場合においては、前記逆止弁で外気が包材内に逆流しないようにした逆止弁付き包材を提案している。
【０００３】
他方、特許第５４６８１７４号公報（特許文献２参照）においては、下向きに狭まるテーパ状のＶ字状内面を備えた外固定枠と、前記外固定枠のテーパ状のＶ字状内面に配置された弾性シートと、前記弾性シートの表面に沿って配置され、前記弾性シート側の面に長さ方向に沿って幅方向の中間位置に突条を形成した断面がくさび状の押え枠とを備え、前記外固定枠内に配置した弾性シートの内面に軟質シート製の袋の開口部を介在させ、さらに前記押え枠をくさび状に押し込むことにより、前記押え枠の突条が前記袋を介して弾性シートにかみ合い、前記袋の開口部を確実に密閉するようにした袋止め用クリップを提案している。
【０００４】
そして、特許第５６３３０６３号公報（特許文献１参照）の逆止弁付き包材の充填口開閉機構として、特許第５４６８１７４号公報（特許文献２参照）における袋止め用クリップを採用して逆止弁付き包材を市場に提供している。
【先行技術文献】
【特許文献】
【０００５】
【特許文献１】特許第５６３３０６３号公報
【特許文献２】特許第５４６８１７４号公報
【発明の概要】
【発明が解決しようとする課題】
【０００６】
しかしながら、特許第５６３３０６３号公報（特許文献１参照）と特許第５４６８１７４号公報（特許文献２参照）を組み合わせてプラスチックフィルム製の包材内に内容物を充填し、真空吸引して内容物から脱気しようとした場合、当該内容物が粉状物や粒状物、特に粉状物であると粉状物が密集して通気性が低下し、脱気が困難になってしまうという問題があった。
【０００７】
そこでこの発明の目的は、内容物が粉状物や粒状物、特に粉状物であった場合であっても、最後まで完全に脱気することができる逆止弁付き包材の真空吸引構造を提供しようとするものである。
【課題を解決するための手段】
【０００８】
すなわち本発明の逆止弁付き包材の真空吸引構造は、内容物を収納する通気性袋と、前記通気性袋に内蔵したスペーサとを備え、前記スペーサを内蔵した通気性袋をフィルム状あるいはシート状包材に収納するとともに、前記包材内を真空吸引して前記内容物に含まれているエアを通気性袋を経て脱気するようにしたことを特徴とするものである。
なお、前記フィルム状あるいはシート状包材とは、プラスチックフィルム製包材のみならず、紙製包材、アルミ箔製包材、またそれら複合材料製包材を含むものである。
【０００９】
本発明の逆止弁付き包材の真空吸引構造において、前記内容物を収納する通気性袋が、不織布からなることをも特徴とするものである。
【００１０】
本発明の逆止弁付き包材の真空吸引構造において、前記スペーサが、連通気泡の発泡体からなる通気性スペーサからなることをも特徴とするものである。
【００１１】
本発明の逆止弁付き包材の真空吸引構造において、前記スペーサが、外周に長さ方向に沿った複数の凹溝を備えた棒状体ないし板状体からなることをも特徴とするものである。
【発明の効果】
【００１２】
請求項１の逆止弁付き包材の真空吸引構造によれば、前記通気性袋によって通気性袋内の全域から脱気することができ、しかも該通気性袋に内蔵したスペーサによって内容物内から最後まで完全に脱気することができる。
特に、前記通気性袋によって通気性袋内の全域から、また通気性袋に内蔵したスペーサによって内容物内から脱気するようにしたので、極めて迅速に無理なく真空吸引することができるようになった。
【００１３】
また請求項２の逆止弁付き包材の真空吸引構造によれば、前記通気性袋が不織布からなるものであり、非常に低コストで逆止弁付き包材の真空吸引構造を提供することができる。
【００１４】
請求項３の逆止弁付き包材の真空吸引構造によれば、前記スペーサが連通気泡の発泡体からなるものであり、前記内容物内から無理なく脱気することができる。
【００１５】
請求項４の逆止弁付き包材の真空吸引構造によれば、前記スペーサが外周に長さ方向に沿った複数の凹溝を備えた棒状体ないし板状体からなるものであり、前記内容物内から無理なく脱気することができる。
また前記スペーサが連通気泡の発泡体の場合に比して、内容物が連通気泡の発泡体に入り込んでしまうことがないため、内容物を取り出して使用する場合に手間が少なくて済む。
【図面の簡単な説明】
【００１６】
【図１】本発明の逆止弁付き包材の真空吸引構造を構成する通気性袋とそれに内蔵するスペーサを示すものであり、（ａ）はスペーサとして連通気泡の発泡体を、（ｂ）はスペーサとして外周に長さ方向に沿った複数の凹溝を備えた棒状体（ないし板状体）を用いた場合の、それぞれ概略斜視図である。
【図２】（ａ），（ｂ）はそれぞれ通気性袋とそれに内蔵したスペーサを示す概略断面図である。
【図３】フィルム状あるいはシート状包材内に通気性袋とそれに内蔵したスペーサを収納し、フィルム状あるいはシート状包材の充填口を開いて内容物を充填しようとする状態を示す概略斜視図である。
【図４】フィルム状あるいはシート状包材の充填口を袋止め用クリップで閉じようとする状態を示す概略斜視図である。
【図５】充填口を袋止め用クリップで閉じ、真空ポンプで脱気しようとする状態の概略斜視図である。
【図６】充填口を袋止め用クリップで閉じ、包材内を脱気するために真空ポンプを脱気口に取り付けた状態の概略斜視図である。
【図７】包材内を脱気するために真空ポンプで吸引している状態の概略斜視図である。
【図８】包材内を真空吸引し、通気性袋内が脱気された状態の概略斜視図である。
【図９】本発明に係る袋止め用クリップの一実施例を説明する結合前の状態の概略断面図である。
【図１０】結合状態の概略断面図である。
【図１１】分解した状態の概略斜視図である。
【図１２】袋止め用クリップの外固定枠に包材の充填口を取り付ける状態の概略斜視図である。
【図１３】前記外固定枠に包材の充填口を取り付け、押え枠を押し込む状態の概略斜視図である。
【図１４】前記外固定枠に押え枠を押し込んだ状態の概略斜視図である。
【図１５】前記押え枠と前記外固定枠の外面との間に差し渡したコ字状の中間止め金具により、前記押え枠の変形を防止しようとする状態の概略断面図である。
【図１６】前記押え枠と前記外固定枠の外面との間にコ字状の中間止め金具を差し渡した状態の概略断面図である。
【図１７】前記押え枠と前記外固定枠の外面との間に差し渡したコ字状の中間止め金具により、前記押え枠の変形を防止しようとする状態の概略斜視図である。
【図１８】前記押え枠と前記外固定枠の外面との間にコ字状の中間止め金具を差し渡した状態の概略斜視図である。
【図１９】逆止弁付き包材の逆止弁の保持部材を構成する各パーツの分解状態の斜視図である。
【図２０】各パーツの分解状態の斜視断面図である。
【図２１】逆止弁のハウジング、フィルタ部材のそれぞれを組み付ける経過を示す斜視断面図である。
【図２２】逆止弁のハウジング、フィルタ部材のそれぞれを組み付けた状態を示す斜視図である。
【図２３】逆止弁のハウジング、フィルタ部材のそれぞれを組み付けた状態を示す斜視断面図である。
【図２４】逆止弁のハウジング、フィルタ部材のそれぞれを連結した状態を示し、（ａ）はその斜視図、（ｂ）はその斜視断面図である。
【図２５】包材内に逆止弁の保持部材を挿入しようとする状態の概略正面図である。
【発明を実施するための形態】
【００１７】
以下、本発明の逆止弁付き包材の真空吸引構造の実施の形態を図面に基いて詳細に説明する。
図１および図２は本発明の逆止弁付き包材の真空吸引構造の１実施例を示し、真空吸引構造を構成する通気性袋１１とそれに内蔵するスペーサ１２を示すものであり、図１（ａ）、図２（ａ）はスペーサ１２として連通気泡の発泡体１２ａを、図１（ｂ）、図２（ｂ）はスペーサ１２として外周に長さ方向に沿った複数の凹溝１２ｃを備えた棒状体（ないし板状体）１２ｂを用いた場合を示すものである。
なお、図１（ｂ）、図２（ｂ）においては棒状体からなるスペーサ１２ｂを２本用いた場合について説明しているが、図１（ａ）、図２（ａ）のスペーサ１２として連通気泡の発泡体１２ａを複数本用いてもよいことは勿論である。
【００１８】
以上の構成によれば、前記通気性袋１１によって通気性袋１１内の全域から脱気することができ、しかも該通気性袋１１に内蔵したスペーサ１２によって内容物１３内から最後まで完全に脱気することができる。
特に、前記通気性袋１１によって通気性袋１１内の全域から、また通気性袋１１に内蔵したスペーサ１２によって内容物１３内から脱気するようにしたので、極めて迅速に無理なく真空吸引することができるようになった。
また、前記通気性袋１１が不織布からなるものとしたことにより、非常に低コストで逆止弁付き包材の真空吸引構造を提供することができるようになった。
ちなみに、前記不織布の原料には繊維に加工できるほとんどの物質を使用することができる。また、複数の原料を組み合わせたり、繊維長や太さなどの形状を調整することで目的・用途に応じた機能を持たせることもできる。
【００１９】
そして、前記スペーサ１２として連通気泡の発泡体１２ａを用いた場合には、前記内容物１３内の全域から無理なく脱気することができるようになった。
また、前記スペーサ１２として外周に長さ方向に沿った複数の凹溝１２ｃを備えた棒状体（ないし板状体）１２ｂを用いた場合には、前記内容物１３内の全長から無理なく脱気することができるようになった。
その際、前記スペーサ１２が連通気泡の発泡体１２ａの場合に比して、内容物１３が連通気泡の発泡体１２ａに入り込んでしまうことがないため、内容物１３を取り出して使用する場合に内容物１３を連通気泡の発泡体１２ａから分離する手間が少なくて済む。
【００２０】
図３ないし図８は本発明の逆止弁付き包材の真空吸引構造をフィルム状あるいはシート状包材に適用した１実施例を示すものである。
ちなみに、前記フィルム状あるいはシート状包材とは、プラスチックフィルム製包材のみならず、紙製包材、アルミ箔製包材、またそれら複合材料製包材を含むものである。
まず、図３に示すように、スペーサ１２を内蔵した通気性袋１１をフィルム状あるいはシート状包材１４内に収納した上、前記通気性袋１１内に内容物１３を投入する。
次いで、図４に示すように別途用意しておいた袋止め用クリップ２１を、図５に示すようにフィルム状あるいはシート状包材１４の充填口１４ａに装着する。
その後、図６に示すように、包材１４内を脱気するために真空ポンプ１５を後述の逆止弁の保持部材４０の脱気口４２に取り付けた上、図７に示すように包材１４内を真空ポンプで吸引して脱気する。
図８は包材１４内を真空吸引し、通気性袋１１内が脱気された状態を示すものである。
【００２１】
前記袋止め用クリップ２１は、図９ないし図１１に示すように、下向きに狭まるテーパ状のＶ字状内面を備えた外固定枠２２を備えている。
前記外固定枠２２のテーパ状のＶ字状内面には弾性シート２３が配設される。この弾性シート２３は一定の肉厚を有し、かつ適宜の反発力を備えていて後述のリブ２４ｃと密着するものであることが望ましい。
また袋止め用クリップ２１は、前記弾性シート２３の表面に沿って配置された断面がくさび状の押え枠２４を備えており、該押え枠２４はその幅方向の中間位置に、かつその長さ方向に沿ってリブ２４ｃが形成されている。
【００２２】
断面がくさび状の前記押え枠２４は、先端の薄肉部分２４ａから徐々に厚肉になるようテーパ状に形成されており、かつその厚肉部分２４ｂの両側に長さ方向に沿ってフランジ２４ｅが突設されている。
このフランジ２４ｅを形成したことにより、前記外固定枠２２の内面に沿って配置した一対の弾性シート２３の間に前記押え枠２４をくさび状に押し込む際に生じやすかった前記押え枠２４が中央部分で後方へ膨らむように変形するという問題が解消され、袋の開口部の閉止という基本的な機能が確実に達成できるようになった。
【００２３】
図１２ないし図１４はその使用状態を示す斜視図である。
まず、図１２に示すように予め前記外固定枠２２のテーパ状の内面に沿って弾性シート２３を配置し、その上で該弾性シート２３の内面にフィルム状あるいはシート状包材１４の充填口１４ａをはめ込む。２４ｃは前記押え枠２４に設けたリブである。
そして、図１３に示すように前記弾性シート２３の間に前記押え枠２４をくさび状に押し込むことにより、図１４に示すように前記押え枠２４は前記外固定枠２２内に確実に収納される。
その際、前記押え枠２４のリブ２４ｃが前記包材１４を介して弾性シート２３にかみ合い、前記包材１４の充填口１４ａを確実に密閉する。
【００２４】
このように操作することにより、図１４に示すように前記押え枠２４の弾性シート２３側の面に長さ方向に沿って幅方向の中間位置に形成したリブ２４ｃが、前記包材１４を介して弾性シート２３にかみ合い、前記包材１４の充填口１４ａを確実に密閉する。
なお前記押え枠２４の、弾性シート２３側の面に長さ方向に沿って幅方向の中間位置に形成したリブ２４ｃはＶ字状断面を備えていることが望ましい。そのＶ字の角度や大きさ、リブ２４ｃが連続か不連続か等は、そのサイズや使用目的等を勘案して適宜決定することができる。
【００２５】
図１２ないし図１８に示すように、前記外固定枠２２はその一方の端部に前記押え枠２４が軸ネジ２６を介して回動可能に軸着されている。そして前記外固定枠２２のどちらかの端部、ちなみに図では他方の端部には止ピン用の取付孔２７が設けられ、前記押え枠２４の先端に設けた連通孔２８を前記取付孔２７に合う位置にくるよう押え枠２４を前記外固定枠２２内に押し込む。その上で、前記取付孔２７および連通孔２８に止ピン２９をはめ込むことにより、前記押え枠２４は前記外固定枠２２内に確実に保持される。
その際、前記押え枠２４にはフランジ２４ｅを形成してあるので、前記外固定枠２２の間に前記押え枠２４をくさび状に押し込む際に生じやすかった前記押え枠２４が中央部分で後方へ膨らむように変形するという問題は生じることがない。
【００２６】
また前記押え枠２４は、図１５ないし図１８に示すように、長さ方向の適宜位置において前記外固定枠２２の外面との間に差し渡されたコ字状の中間止め金具３１によりその変形を防止することができる。
すなわち、前記くさび状の押え枠２４の上端の薄肉の後端２４ｄの適所に金具用の孔３１ａを設け、前記外固定枠２２のテーパ状のＶ字状内面から外れた、例えば左右一対の下向きフランジ２２ａの長さ方向の前記孔３１ａに対応する部位に孔３１ｂを設けておく。そして、コ字状の中間止め金具３１をその両端水平部を各孔３１ａおよび３１ｂに押し込んで、前記押え枠２４を前記外固定枠２２内に確実に保持するのである。
もちろん、このコ字状の中間止め金具３１と前記押え枠２４のフランジ２４ｅとを組み合わせてもよい。
【００２７】
以上の各実施例に使用される外固定枠や押え枠等の素材としては、アルミ等の金属や高密度ポリエチレンやポリプロピレン、ＡＢＳ樹脂等のプラスチック素材が好適に使用され、包材１４の素材やその充填口１４ａのサイズ、使用目的（内容物その他）等に応じて適宜決定することができる。
また弾性シートの素材も、合成ゴムやシリコンゴム、ウレタンゴム等のプラスチック発泡体等から適宜選択し、包材１４の素材やその充填口１４ａのサイズ、使用目的（内容物その他）、前記押え枠との相性等に応じて決定することができる。
【００２８】
ちなみに前記袋止め用クリップ２１は気密性を高めた素材からなる包材１４の充填口１４ａに装着して使用されるが、前記包材１４の充填口１４ａとは別の位置に逆止弁を備えた通気栓を取り付けておけば、粉末状の食品やその他の物品を空気に触れさせないで保存することができる。
なお、前記逆止弁を備えた通気栓としては、本発明者の提案した特開２００９−１９０７７５号公報や特願２０１２−２１８９４７号の真空ポンプ機構を採用することができる。
そして、粉末状の食品やその他の物品を包材１４に充填して充填口１４ａを前記袋止め用クリップ２１により密閉し、その上で前記真空ポンプ機構を用いて包材１４内の空気を吸引して脱気すれば、包材１４内を無酸素状態で長期間保持することができるようになる。
本発明者が実験したところによれば、米や豆等の穀物、茶葉やシイタケ等の生鮮食品類、乾物、穀粉等を包材１４に詰めて真空ポンプ機構で脱気したところ、包材１４は充填物とともにカチカチに硬化した状態となり、１年以上経過してもカチカチの硬化した状態に保たれたままであって何ら気密性が損なわれることはなく、充填物には変色等も見られなかった。
【００２９】
次に、図１９ないし図２５はフィルム状あるいはシート状包材１４の適所に配設される逆止弁の保持部材を説明するためのものであり、図１９は該逆止弁の保持部材を構成する各パーツの分解状態の斜視図であり、図２０は各パーツの分解状態の斜視断面図である。
後述するフィルム状あるいはシート状包材に取り付けられる逆止弁の保持部材４０は、上端に真空ポンプのチューブを装着する脱気口４２を突設した逆止弁用のハウジング４１と、該ハウジング４１内において弁口５２を前記脱気口４２側に向けて配設された逆止弁５１と、該逆止弁５１の筒状端部に延長チューブ６２で連結されたフィルタ部材６１とを備えている。６３はフィルタケース、６４はフィルタケース６３内に収納したフィルタ、６６はフィルタケース６３に突設したチューブ取付部６５に延長チューブ６２を連結するための補助チューブである。
【００３０】
上端に真空ポンプのチューブを装着するための脱気口４２を突設した前記逆止弁用のハウジング４１は、前記包材１４に適宜手段で内装される。すなわち、前記包材１４と外筒４３とを例えばプラスチックフィルムどうしの加熱による溶着や、接着剤を使用して接合する。そして前記ハウジング４１を外筒４３内にはめ込み、その上から蓋体４４を取付けて前記脱気口４２を蓋体４４の丸穴４５から突出させるのである。４６は前記脱気口４２に着脱自在に取り付けられるキャップである。
【００３１】
前記ハウジング４１内において弁口５２を前記脱気口４２側に向けて配設された逆止弁５１は、該逆止弁５１よりも大きな径の第１の保持筒５５内に保持されて前記ハウジング４１内の上部にはめ込まれる。
すなわち、前記逆止弁５１はその筒状端部に設けた外向きのフランジ５３を前記第１の保持筒５５の下端に係合することにより保持されている。なお、５４は前記逆止弁５１内に内装して前記逆止弁５１の変形を防止する筒状スペーサである。
他方、前記ハウジング４１内の下部には外向きの段差５６が形成してあり、該段差５６内に第２の保持筒５７をはめ込むとともに、該第２の保持筒５７の上部から外向きのフランジを備えたガイド筒５８を挿通し、連結筒５９を介して前記延長チューブ６２に連結されている。
【００３２】
前記ハウジング４１内において、弁口５２を前記脱気口４２側に向けて配設された逆止弁５１は、弾性素材によって弁口５２部分が外向きのアーチ状に形成されており、かつその頂部にマイナスもしくはプラス状のスリットが弁口５２として形成してある。
【００３３】
次に図２１ないし図２５において前記逆止弁の保持部材４０を構成する各パーツの組付け工程を説明する。
図２１は逆止弁５１のハウジング４１、フィルタ部材６１のそれぞれを組み付ける経過を示すものであり、前記逆止弁５１のハウジング４１と包材１４との間には前記外筒４３のような、両者を強固に接合する融着可能な連結部材を介装しておくことが望ましい。
まず、前記逆止弁５１を第１の保持筒５５に上向きにはめ込み、さらにスペーサ５４を前記逆止弁５１に取り付ける。一方、前記第２の保持筒５７の上部から外向きのフランジを備えたガイド筒５８を挿通し、その下端に連結筒５９を取り付けておく。
さらに、フィルタ部材６１のフィルタケース６３の上端には延長チューブ６２が連結されている。
【００３４】
次いで図２２および図２３に示すように、前記ハウジング４１内に逆止弁５１を装着した第１の保持筒５５を圧入し、該第１の保持筒５５とともに前記逆止弁５１を前記ハウジング４１内に取り付けて保持する。その上で前記ハウジング４１内の下部に設けた段差５６内に前記ガイド筒５８を挿通した前記第２の保持筒５７をはめ込む。
また、フィルタ部材６１のフィルタケース６３内にフィルタ６４を取り付けておく。
その状態で連結筒５９を介して前記逆止弁５１をフィルタ部材６１と連結し、前記外筒４３内に逆止弁のハウジング４１をはめ込む。
図２４（ａ），（ｂ）はそれぞれ完成状態の斜視図および斜視断面図、図２５は包材内に逆止弁の保持部材を挿入しようとする状態の概略正面図である。
【００３５】
なお、フィルム状あるいはシート状包材１４内の空気は逆止弁５１を介して真空ポンプを用いて脱気する。
【００３６】
そして、図５〜図７に示すように真空ポンプ１５のチューブを前記ハウジング４１の脱気口４２に装着する。
その後、真空ポンプ１５を作動すれば、前記包材１４内の空気は排出されるものの、前記逆止弁５１で外気が包材１４内に逆流することはない。
【産業上の利用可能性】
【００３７】
本発明の逆止弁付き包材の真空吸引構造は、包材内に各種の内容物を充填するために使用することができ、さまざまな内容物を包材に充填し、真空引きするための真空吸引構造として好適に適用することができる。
【符号の説明】
【００３８】
１１  通気性袋
１２  スペーサ
１２ａ  連通気泡の発泡体
１２ｂ  棒状体（ないし板状体）
１２ｃ  凹溝
１３  内容物
１４  フィルム状あるいはシート状包材
１４ａ  充填口
１５  真空ポンプ
２１  袋止め用クリップ
２２  外固定枠
２２ａ  フランジ
２３  弾性シート
２４  押え枠
２４ａ  薄肉部分
２４ｂ  厚肉部分
２４ｃ  リブ
２４ｄ  後端
２４ｅ  フランジ
２５  突条
２６  軸ネジ
２７  止ピン用の取付孔
２８  連通孔
２９  止ピン
３１  中間止め金具
３１ａ  金具用の孔
３１ｂ  金具用の孔
４０  逆止弁の保持部材
４１  ハウジング
４２  脱気口
４３  外筒
４４  蓋体
４５  丸穴
４６  キャップ
４７  ワッシャ
５１  逆止弁
５２  弁口
５３  フランジ
５４  筒状スペーサ
５５  第１の保持筒
５６  段差
５７  第２の保持筒
５８  ガイド筒
５９  連結筒
６１  フィルタ部材
６２  延長チューブ
６３  フィルタケース
６４  フィルタ
６５  チューブ取付部
６６  補助チューブ
【図１】
2019199298.tif 000003
【図２】
2019199298.tif 000004
【図３】
2019199298.tif 000005
【図４】
2019199298.tif 000006
【図５】
2019199298.tif 000007
【図６】
2019199298.tif 000008
【図７】
2019199298.tif 000009
【図８】
2019199298.tif 000010
【図９】
2019199298.tif 000011
【図１０】
2019199298.tif 000012
【図１１】
2019199298.tif 000013
【図１２】
2019199298.tif 000014
【図１３】
2019199298.tif 000015
【図１４】
2019199298.tif 000016
【図１５】
2019199298.tif 000017
【図１６】
2019199298.tif 000018
【図１７】
2019199298.tif 000019
【図１８】
2019199298.tif 000020
【図１９】
2019199298.tif 000021
【図２０】
2019199298.tif 000022
【図２１】
2019199298.tif 000023
【図２２】
2019199298.tif 000024
【図２３】
2019199298.tif 000025
【図２４】
2019199298.tif 000026
【図２５】
2019199298.tif 000027
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
内容物を収納する通気性袋と、前記通気性袋に収納した内容物中に内蔵したスペーサとを備え、
前記スペーサを内蔵した通気性袋をフィルム状あるいはシート状包材に収納するとともに、
前記包材内を真空吸引して前記内容物に含まれているエアを通気性袋を経て脱気するようにしたことを特徴とする逆止弁付き包材の真空吸引構造。
【請求項２】
前記内容物を収納する通気性袋が、不織布からなることを特徴とする請求項１に記載の逆止弁付き包材の真空吸引構造。
【請求項３】
前記スペーサが、連通気泡の発泡体からなる通気性スペーサからなることを特徴とする請求項１または２に記載の逆止弁付き包材の真空吸引構造。
【請求項４】
前記スペーサが、外周に長手方向に沿った複数の凹溝を備えた棒状体ないし板状体からなることを特徴とする請求項１または２に記載の逆止弁付き包材の真空吸引構造。
【手続補正２】
【補正対象書類名】明細書
【補正対象項目名】全文
【補正方法】変更
【補正の内容】
【発明の詳細な説明】
【技術分野】
【０００１】
本発明は変形可能な包材（例えば軟質容器）の内容物の充填口に開閉機構を備え、かつ包材の適所に逆止弁を取り付けて包材内の空気を迅速に排出することができる逆止弁付き包材に関し、詳しくはその真空吸引構造に関する。
【背景技術】
【０００２】
本発明者は先に特許第５６３３０６３号公報（特許文献１参照）において、プラスチックフィルム製の包材と、該包材の開口部へ溶着して該包材内に収納した筒状フィルム製の外筒と、該外筒に内装され、上端に真空ポンプのチューブを装着する脱気口を突設した逆止弁用のハウジングと、該ハウジング内において弁口を前記脱気口側に向けて配設された逆止弁と、該逆止弁の開口部に延長チューブで連結されたフィルタ部材とを備え、別途用意した真空ポンプのチューブを前記外筒内のハウジングの脱気口に装着し、真空ポンプを作動して前記包材内の空気を排出した場合においては、前記逆止弁で外気が包材内に逆流しないようにした逆止弁付き包材を提案している。
【０００３】
他方、特許第５４６８１７４号公報（特許文献２参照）においては、下向きに狭まるテーパ状のＶ字状内面を備えた外固定枠と、前記外固定枠のテーパ状のＶ字状内面に配置された弾性シートと、前記弾性シートの表面に沿って配置され、前記弾性シート側の面に長さ方向に沿って幅方向の中間位置に突条を形成した断面がくさび状の押え枠とを備え、前記外固定枠内に配置した弾性シートの内面に軟質シート製の袋の開口部を介在させ、さらに前記押え枠をくさび状に押し込むことにより、前記押え枠の突条が前記袋を介して弾性シートにかみ合い、前記袋の開口部を確実に密閉するようにした袋止め用クリップを提案している。
【０００４】
そして、特許第５６３３０６３号公報（特許文献１参照）の逆止弁付き包材の充填口開閉機構として、特許第５４６８１７４号公報（特許文献２参照）における袋止め用クリップを採用して逆止弁付き包材を市場に提供している。
【先行技術文献】
【特許文献】
【０００５】
【特許文献１】特許第５６３３０６３号公報
【特許文献２】特許第５４６８１７４号公報
【発明の概要】
【発明が解決しようとする課題】
【０００６】
しかしながら、特許第５６３３０６３号公報（特許文献１参照）と特許第５４６８１７４号公報（特許文献２参照）を組み合わせてプラスチックフィルム製の包材内に内容物を充填し、真空吸引して内容物から脱気しようとした場合、当該内容物が粉状物や粒状物、特に粉状物であると粉状物が密集して通気性が低下し、脱気が困難になってしまうという問題があった。
【０００７】
そこでこの発明の目的は、内容物が粉状物や粒状物、特に粉状物であった場合であっても、最後まで完全に脱気することができる逆止弁付き包材の真空吸引構造を提供しようとするものである。
【課題を解決するための手段】
【０００８】
すなわち本発明の逆止弁付き包材の真空吸引構造は、内容物を収納する通気性袋と、前記通気性袋に収納した内容物中に内蔵したスペーサとを備え、前記スペーサを内蔵した通気性袋をフィルム状あるいはシート状包材に収納するとともに、前記包材内を真空吸引して前記内容物に含まれているエアを通気性袋を経て脱気するようにしたことを特徴とするものである。
なお、前記フィルム状あるいはシート状包材とは、プラスチックフィルム製包材のみならず、紙製包材、アルミ箔製包材、またそれら複合材料製包材を含むものである。
【０００９】
本発明の逆止弁付き包材の真空吸引構造において、前記内容物を収納する通気性袋が、不織布からなることをも特徴とするものである。
【００１０】
本発明の逆止弁付き包材の真空吸引構造において、前記スペーサが、連通気泡の発泡体からなる通気性スペーサからなることをも特徴とするものである。
【００１１】
本発明の逆止弁付き包材の真空吸引構造において、前記スペーサが、外周に長手方向に沿った複数の凹溝を備えた棒状体ないし板状体からなることをも特徴とするものである。
【発明の効果】
【００１２】
請求項１の逆止弁付き包材の真空吸引構造によれば、前記通気性袋によって通気性袋内の全域から脱気することができ、しかも該通気性袋に収納した内容物中に内蔵したスペーサによって内容物内から最後まで完全に脱気することができる。
特に、前記通気性袋によって通気性袋内の全域から、また通気性袋に収納した内容物中に内蔵したスペーサによって内容物内から脱気するようにしたので、極めて迅速に無理なく真空吸引することができるようになった。
【００１３】
また請求項２の逆止弁付き包材の真空吸引構造によれば、前記通気性袋が不織布からなるものであり、非常に低コストで逆止弁付き包材の真空吸引構造を提供することができる。
【００１４】
請求項３の逆止弁付き包材の真空吸引構造によれば、前記スペーサが連通気泡の発泡体からなるものであり、前記内容物内から無理なく脱気することができる。
【００１５】
請求項４の逆止弁付き包材の真空吸引構造によれば、前記スペーサが外周に長手方向に沿った複数の凹溝を備えた棒状体ないし板状体からなるものであり、前記内容物内から無理なく脱気することができる。
また前記スペーサが連通気泡の発泡体の場合に比して、内容物が連通気泡の発泡体に入り込んでしまうことがないため、内容物を取り出して使用する場合に手間が少なくて済む。
【図面の簡単な説明】
【００１６】
【図１】本発明の逆止弁付き包材の真空吸引構造を構成する通気性袋とそれに内蔵するスペーサを示すものであり、（ａ）はスペーサとして連通気泡の発泡体を、（ｂ）はスペーサとして外周に長手方向に沿った複数の凹溝を備えた棒状体（ないし板状体）を用いた場合の、それぞれ概略斜視図である。
【図２】（ａ），（ｂ）はそれぞれ通気性袋とそれに内蔵したスペーサを示す概略断面図である。
【図３】フィルム状あるいはシート状包材内に通気性袋とそれに内蔵したスペーサを収納し、フィルム状あるいはシート状包材の充填口を開いて内容物を充填しようとする状態を示す概略斜視図である。
【図４】フィルム状あるいはシート状包材の充填口を袋止め用クリップで閉じようとする状態を示す概略斜視図である。
【図５】充填口を袋止め用クリップで閉じ、真空ポンプで脱気しようとする状態の概略斜視図である。
【図６】充填口を袋止め用クリップで閉じ、包材内を脱気するために真空ポンプを脱気口に取り付けた状態の概略斜視図である。
【図７】包材内を脱気するために真空ポンプで吸引している状態の概略斜視図である。
【図８】包材内を真空吸引し、通気性袋内が脱気された状態の概略斜視図である。
【図９】本発明に係る袋止め用クリップの一実施例を説明する結合前の状態の概略断面図である。
【図１０】結合状態の概略断面図である。
【図１１】分解した状態の概略斜視図である。
【図１２】袋止め用クリップの外固定枠に包材の充填口を取り付ける状態の概略斜視図である。
【図１３】前記外固定枠に包材の充填口を取り付け、押え枠を押し込む状態の概略斜視図である。
【図１４】前記外固定枠に押え枠を押し込んだ状態の概略斜視図である。
【図１５】前記押え枠と前記外固定枠の外面との間に差し渡したコ字状の中間止め金具により、前記押え枠の変形を防止しようとする状態の概略断面図である。
【図１６】前記押え枠と前記外固定枠の外面との間にコ字状の中間止め金具を差し渡した状態の概略断面図である。
【図１７】前記押え枠と前記外固定枠の外面との間に差し渡したコ字状の中間止め金具により、前記押え枠の変形を防止しようとする状態の概略斜視図である。
【図１８】前記押え枠と前記外固定枠の外面との間にコ字状の中間止め金具を差し渡した状態の概略斜視図である。
【図１９】逆止弁付き包材の逆止弁の保持部材を構成する各パーツの分解状態の斜視図である。
【図２０】各パーツの分解状態の斜視断面図である。
【図２１】逆止弁のハウジング、フィルタ部材のそれぞれを組み付ける経過を示す斜視断面図である。
【図２２】逆止弁のハウジング、フィルタ部材のそれぞれを組み付けた状態を示す斜視図である。
【図２３】逆止弁のハウジング、フィルタ部材のそれぞれを組み付けた状態を示す斜視断面図である。
【図２４】逆止弁のハウジング、フィルタ部材のそれぞれを連結した状態を示し、（ａ）はその斜視図、（ｂ）はその斜視断面図である。
【図２５】包材内に逆止弁の保持部材を挿入しようとする状態の概略正面図である。
【発明を実施するための形態】
【００１７】
以下、本発明の逆止弁付き包材の真空吸引構造の実施の形態を図面に基いて詳細に説明する。
図１および図２は本発明の逆止弁付き包材の真空吸引構造の１実施例を示し、真空吸引構造を構成する通気性袋１１に収納した内容物中に内蔵するスペーサ１２を示すものであり、図１（ａ）、図２（ａ）はスペーサ１２として連通気泡の発泡体１２ａを、図１（ｂ）、図２（ｂ）はスペーサ１２として外周に長手方向に沿った複数の凹溝１２ｃを備えた棒状体（ないし板状体）１２ｂを用いた場合を示すものである。
なお、図１（ｂ）、図２（ｂ）においては棒状体からなるスペーサ１２ｂを２本用いた場合について説明しているが、図１（ａ）、図２（ａ）のスペーサ１２として連通気泡の発泡体１２ａを複数本用いてもよいことは勿論である。
【００１８】
以上の構成によれば、前記通気性袋１１によって通気性袋１１内の全域から脱気することができ、しかも該通気性袋１１に収納した内容物中に内蔵したスペーサ１２によって内容物１３内から最後まで完全に脱気することができる。
特に、前記通気性袋１１によって通気性袋１１内の全域から、また通気性袋１１に内蔵したスペーサ１２によって内容物１３内から脱気するようにしたので、極めて迅速に無理なく真空吸引することができるようになった。
また、前記通気性袋１１が不織布からなるものとしたことにより、非常に低コストで逆止弁付き包材の真空吸引構造を提供することができるようになった。
ちなみに、前記不織布の原料には繊維に加工できるほとんどの物質を使用することができる。また、複数の原料を組み合わせたり、繊維長や太さなどの形状を調整することで目的・用途に応じた機能を持たせることもできる。
【００１９】
そして、前記スペーサ１２として連通気泡の発泡体１２ａを用いた場合には、前記内容物１３内の全域から無理なく脱気することができるようになった。
また、前記スペーサ１２として外周に長手方向に沿った複数の凹溝１２ｃを備えた棒状体（ないし板状体）１２ｂを用いた場合には、前記内容物１３内の全長から無理なく脱気することができるようになった。
その際、前記スペーサ１２が連通気泡の発泡体１２ａの場合に比して、内容物１３が連通気泡の発泡体１２ａに入り込んでしまうことがないため、内容物１３を取り出して使用する場合に内容物１３を連通気泡の発泡体１２ａから分離する手間が少なくて済む。
【００２０】
図３ないし図８は本発明の逆止弁付き包材の真空吸引構造をフィルム状あるいはシート状包材に適用した１実施例を示すものである。
ちなみに、前記フィルム状あるいはシート状包材とは、プラスチックフィルム製包材のみならず、紙製包材、アルミ箔製包材、またそれら複合材料製包材を含むものである。
まず、図３に示すように、スペーサ１２を内蔵した通気性袋１１をフィルム状あるいはシート状包材１４内に収納した上、前記通気性袋１１内に内容物１３を投入する。
次いで、図４に示すように別途用意しておいた袋止め用クリップ２１を、図５に示すようにフィルム状あるいはシート状包材１４の充填口１４ａに装着する。
その後、図６に示すように、包材１４内を脱気するために真空ポンプ１５を後述の逆止弁の保持部材４０の脱気口４２に取り付けた上、図７に示すように包材１４内を真空ポンプで吸引して脱気する。
図８は包材１４内を真空吸引し、通気性袋１１内が脱気された状態を示すものである。
【００２１】
前記袋止め用クリップ２１は、図９ないし図１１に示すように、下向きに狭まるテーパ状のＶ字状内面を備えた外固定枠２２を備えている。
前記外固定枠２２のテーパ状のＶ字状内面には弾性シート２３が配設される。この弾性シート２３は一定の肉厚を有し、かつ適宜の反発力を備えていて後述のリブ２４ｃと密着するものであることが望ましい。
また袋止め用クリップ２１は、前記弾性シート２３の表面に沿って配置された断面がくさび状の押え枠２４を備えており、該押え枠２４はその幅方向の中間位置に、かつその長さ方向に沿ってリブ２４ｃが形成されている。
【００２２】
断面がくさび状の前記押え枠２４は、先端の薄肉部分２４ａから徐々に厚肉になるようテーパ状に形成されており、かつその厚肉部分２４ｂの両側に長手方向に沿ってフランジ２４ｅが突設されている。
このフランジ２４ｅを形成したことにより、前記外固定枠２２の内面に沿って配置した一対の弾性シート２３の間に前記押え枠２４をくさび状に押し込む際に生じやすかった前記押え枠２４が中央部分で後方へ膨らむように変形するという問題が解消され、袋の開口部の閉止という基本的な機能が確実に達成できるようになった。
【００２３】
図１２ないし図１４はその使用状態を示す斜視図である。
まず、図１２に示すように予め前記外固定枠２２のテーパ状の内面に沿って弾性シート２３を配置し、その上で該弾性シート２３の内面にフィルム状あるいはシート状包材１４の充填口１４ａをはめ込む。２４ｃは前記押え枠２４に設けたリブである。
そして、図１３に示すように前記弾性シート２３の間に前記押え枠２４をくさび状に押し込むことにより、図１４に示すように前記押え枠２４は前記外固定枠２２内に確実に収納される。
その際、前記押え枠２４のリブ２４ｃが前記包材１４を介して弾性シート２３にかみ合い、前記包材１４の充填口１４ａを確実に密閉する。
【００２４】
このように操作することにより、図１４に示すように前記押え枠２４の弾性シート２３側の面に長手方向に沿って幅方向の中間位置に形成したリブ２４ｃが、前記包材１４を介して弾性シート２３にかみ合い、前記包材１４の充填口１４ａを確実に密閉する。
なお前記押え枠２４の、弾性シート２３側の面に長手方向に沿って幅方向の中間位置に形成したリブ２４ｃはＶ字状断面を備えていることが望ましい。そのＶ字の角度や大きさ、リブ２４ｃが連続か不連続か等は、そのサイズや使用目的等を勘案して適宜決定することができる。
【００２５】
図１２ないし図１８に示すように、前記外固定枠２２はその一方の端部に前記押え枠２４が軸ネジ２６を介して回動可能に軸着されている。そして前記外固定枠２２のどちらかの端部、ちなみに図では他方の端部には止ピン用の取付孔２７が設けられ、前記押え枠２４の先端に設けた連通孔２８を前記取付孔２７に合う位置にくるよう押え枠２４を前記外固定枠２２内に押し込む。その上で、前記取付孔２７および連通孔２８に止ピン２９をはめ込むことにより、前記押え枠２４は前記外固定枠２２内に確実に保持される。
その際、前記押え枠２４にはフランジ２４ｅを形成してあるので、前記外固定枠２２の間に前記押え枠２４をくさび状に押し込む際に生じやすかった前記押え枠２４が中央部分で後方へ膨らむように変形するという問題は生じることがない。
【００２６】
また前記押え枠２４は、図１５ないし図１８に示すように、長手方向の適宜位置において前記外固定枠２２の外面との間に差し渡されたコ字状の中間止め金具３１によりその変形を防止することができる。
すなわち、前記くさび状の押え枠２４の上端の薄肉の後端２４ｄの適所に金具用の孔３１ａを設け、前記外固定枠２２のテーパ状のＶ字状内面から外れた、例えば左右一対の下向きフランジ２２ａの長手方向の前記孔３１ａに対応する部位に孔３１ｂを設けておく。そして、コ字状の中間止め金具３１をその両端水平部を各孔３１ａおよび３１ｂに押し込んで、前記押え枠２４を前記外固定枠２２内に確実に保持するのである。
もちろん、このコ字状の中間止め金具３１と前記押え枠２４のフランジ２４ｅとを組み合わせてもよい。
【００２７】
以上の各実施例に使用される外固定枠や押え枠等の素材としては、アルミ等の金属や高密度ポリエチレンやポリプロピレン、ＡＢＳ樹脂等のプラスチック素材が好適に使用され、包材１４の素材やその充填口１４ａのサイズ、使用目的（内容物その他）等に応じて適宜決定することができる。
また弾性シートの素材も、合成ゴムやシリコンゴム、ウレタンゴム等のプラスチック発泡体等から適宜選択し、包材１４の素材やその充填口１４ａのサイズ、使用目的（内容物その他）、前記押え枠との相性等に応じて決定することができる。
【００２８】
ちなみに前記袋止め用クリップ２１は気密性を高めた素材からなる包材１４の充填口１４ａに装着して使用されるが、前記包材１４の充填口１４ａとは別の位置に逆止弁を備えた通気栓を取り付けておけば、粉末状の食品やその他の物品を空気に触れさせないで保存することができる。
なお、前記逆止弁を備えた通気栓としては、本発明者の提案した特開２００９−１９０７７５号公報や特願２０１２−２１８９４７号の真空ポンプ機構を採用することができる。
そして、粉末状の食品やその他の物品を包材１４に充填して充填口１４ａを前記袋止め用クリップ２１により密閉し、その上で前記真空ポンプ機構を用いて包材１４内の空気を吸引して脱気すれば、包材１４内を無酸素状態で長期間保持することができるようになる。
本発明者が実験したところによれば、米や豆等の穀物、茶葉やシイタケ等の生鮮食品類、乾物、穀粉等を包材１４に詰めて真空ポンプ機構で脱気したところ、包材１４は充填物とともにカチカチに硬化した状態となり、１年以上経過してもカチカチの硬化した状態に保たれたままであって何ら気密性が損なわれることはなく、充填物には変色等も見られなかった。
【００２９】
次に、図１９ないし図２５はフィルム状あるいはシート状包材１４の適所に配設される逆止弁の保持部材を説明するためのものであり、図１９は該逆止弁の保持部材を構成する各パーツの分解状態の斜視図であり、図２０は各パーツの分解状態の斜視断面図である。
後述するフィルム状あるいはシート状包材に取り付けられる逆止弁の保持部材４０は、上端に真空ポンプのチューブを装着する脱気口４２を突設した逆止弁用のハウジング４１と、該ハウジング４１内において弁口５２を前記脱気口４２側に向けて配設された逆止弁５１と、該逆止弁５１の筒状端部に延長チューブ６２で連結されたフィルタ部材６１とを備えている。６３はフィルタケース、６４はフィルタケース６３内に収納したフィルタ、６６はフィルタケース６３に突設したチューブ取付部６５に延長チューブ６２を連結するための補助チューブである。
【００３０】
上端に真空ポンプのチューブを装着するための脱気口４２を突設した前記逆止弁用のハウジング４１は、前記包材１４に適宜手段で内装される。すなわち、前記包材１４と外筒４３とを例えばプラスチックフィルムどうしの加熱による溶着や、接着剤を使用して接合する。そして前記ハウジング４１を外筒４３内にはめ込み、その上から蓋体４４を取付けて前記脱気口４２を蓋体４４の丸穴４５から突出させるのである。４６は前記脱気口４２に着脱自在に取り付けられるキャップである。
【００３１】
前記ハウジング４１内において弁口５２を前記脱気口４２側に向けて配設された逆止弁５１は、該逆止弁５１よりも大きな径の第１の保持筒５５内に保持されて前記ハウジング４１内の上部にはめ込まれる。
すなわち、前記逆止弁５１はその筒状端部に設けた外向きのフランジ５３を前記第１の保持筒５５の下端に係合することにより保持されている。なお、５４は前記逆止弁５１内に内装して前記逆止弁５１の変形を防止する筒状スペーサである。
他方、前記ハウジング４１内の下部には外向きの段差５６が形成してあり、該段差５６内に第２の保持筒５７をはめ込むとともに、該第２の保持筒５７の上部から外向きのフランジを備えたガイド筒５８を挿通し、連結筒５９を介して前記延長チューブ６２に連結されている。
【００３２】
前記ハウジング４１内において、弁口５２を前記脱気口４２側に向けて配設された逆止弁５１は、弾性素材によって弁口５２部分が外向きのアーチ状に形成されており、かつその頂部にマイナスもしくはプラス状のスリットが弁口５２として形成してある。
【００３３】
次に図２１ないし図２５において前記逆止弁の保持部材４０を構成する各パーツの組付け工程を説明する。
図２１は逆止弁５１のハウジング４１、フィルタ部材６１のそれぞれを組み付ける経過を示すものであり、前記逆止弁５１のハウジング４１と包材１４との間には前記外筒４３のような、両者を強固に接合する融着可能な連結部材を介装しておくことが望ましい。
まず、前記逆止弁５１を第１の保持筒５５に上向きにはめ込み、さらにスペーサ５４を前記逆止弁５１に取り付ける。一方、前記第２の保持筒５７の上部から外向きのフランジを備えたガイド筒５８を挿通し、その下端に連結筒５９を取り付けておく。
さらに、フィルタ部材６１のフィルタケース６３の上端には延長チューブ６２が連結されている。
【００３４】
次いで図２２および図２３に示すように、前記ハウジング４１内に逆止弁５１を装着した第１の保持筒５５を圧入し、該第１の保持筒５５とともに前記逆止弁５１を前記ハウジング４１内に取り付けて保持する。その上で前記ハウジング４１内の下部に設けた段差５６内に前記ガイド筒５８を挿通した前記第２の保持筒５７をはめ込む。
また、フィルタ部材６１のフィルタケース６３内にフィルタ６４を取り付けておく。
その状態で連結筒５９を介して前記逆止弁５１をフィルタ部材６１と連結し、前記外筒４３内に逆止弁のハウジング４１をはめ込む。
図２４（ａ），（ｂ）はそれぞれ完成状態の斜視図および斜視断面図、図２５は包材内に逆止弁の保持部材を挿入しようとする状態の概略正面図である。
【００３５】
なお、フィルム状あるいはシート状包材１４内の空気は逆止弁５１を介して真空ポンプを用いて脱気する。
【００３６】
そして、図５〜図７に示すように真空ポンプ１５のチューブを前記ハウジング４１の脱気口４２に装着する。
その後、真空ポンプ１５を作動すれば、前記包材１４内の空気は排出されるものの、前記逆止弁５１で外気が包材１４内に逆流することはない。
【産業上の利用可能性】
【００３７】
本発明の逆止弁付き包材の真空吸引構造は、包材内に各種の内容物を充填するために使用することができ、さまざまな内容物を包材に充填し、真空引きするための真空吸引構造として好適に適用することができる。
【符号の説明】
【００３８】
１１  通気性袋
１２  スペーサ
１２ａ  連通気泡の発泡体
１２ｂ  棒状体（ないし板状体）
１２ｃ  凹溝
１３  内容物
１４  フィルム状あるいはシート状包材
１４ａ  充填口
１５  真空ポンプ
２１  袋止め用クリップ
２２  外固定枠
２２ａ  フランジ
２３  弾性シート
２４  押え枠
２４ａ  薄肉部分
２４ｂ  厚肉部分
２４ｃ  リブ
２４ｄ  後端
２４ｅ  フランジ
２５  突条
２６  軸ネジ
２７  止ピン用の取付孔
２８  連通孔
２９  止ピン
３１  中間止め金具
３１ａ  金具用の孔
３１ｂ  金具用の孔
４０  逆止弁の保持部材
４１  ハウジング
４２  脱気口
４３  外筒
４４  蓋体
４５  丸穴
４６  キャップ
４７  ワッシャ
５１  逆止弁
５２  弁口
５３  フランジ
５４  筒状スペーサ
５５  第１の保持筒
５６  段差
５７  第２の保持筒
５８  ガイド筒
５９  連結筒
６１  フィルタ部材
６２  延長チューブ
６３  フィルタケース
６４  フィルタ
６５  チューブ取付部
６６  補助チューブ
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
粉状物または粒状物からなる内容物を収納する通気性袋と、前記通気性袋に収納した内容物中に内蔵した連通気泡の発泡体からなる通気性スペーサとを備え、
前記スペーサを内蔵した通気性袋をフィルム状あるいはシート状包材に収納するとともに、
前記包材内を真空吸引して前記内容物に含まれているエアを通気性袋を経て脱気するようにした逆止弁付き包材の真空吸引構造において、
前記スペーサが、外周に長さ方向に沿った複数の凹溝を備えた棒状体ないし板状体からなることを特徴とする逆止弁付き包材の真空吸引構造。
［請求項２］
前記内容物を収納する通気性袋が、不織布からなることを特徴とする請求項１に記載の逆止弁付き包材の真空吸引構造。
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
粉状物または粒状物からなる内容物を収納する通気性袋と、前記通気性袋に収納した内容物中に内蔵した、連通気泡の発泡体からなる通気性スペーサとを備え、
前記スペーサを内蔵した通気性袋をフィルム状あるいはシート状包材に収納するとともに、
前記包材内を真空吸引して前記内容物に含まれているエアを通気性袋を経て脱気するようにしたことを特徴とする逆止弁付き包材の真空吸引構造。
【請求項２】
粉状物または粒状物からなる内容物を収納する通気性袋と、前記通気性袋に収納した内容物中に内蔵した、外周に長手方向に沿った複数の凹溝を備えた棒状体ないし板状体からなる通気性スペーサとを備え、
前記スペーサを内蔵した通気性袋をフィルム状あるいはシート状包材に収納するとともに、
前記包材内を真空吸引して前記内容物に含まれているエアを通気性袋を経て脱気するようにしたことを特徴とする逆止弁付き包材の真空吸引構造。
【請求項３】
前記内容物を収納する通気性袋が、不織布からなることを特徴とする請求項１または２に記載の逆止弁付き包材の真空吸引構造。
【手続補正２】
【補正対象書類名】明細書
【補正対象項目名】全文
【補正方法】変更
【補正の内容】
【発明の詳細な説明】
【技術分野】
【０００１】
本発明は変形可能な包材（例えば軟質容器）の内容物の充填口に開閉機構を備え、かつ包材の適所に逆止弁を取り付けて包材内の空気を迅速に排出することができる逆止弁付き包材に関し、詳しくはその真空吸引構造に関する。
【背景技術】
【０００２】
本発明者は先に特許第５６３３０６３号公報（特許文献１参照）において、プラスチックフィルム製の包材と、該包材の開口部へ溶着して該包材内に収納した筒状フィルム製の外筒と、該外筒に内装され、上端に真空ポンプのチューブを装着する脱気口を突設した逆止弁用のハウジングと、該ハウジング内において弁口を前記脱気口側に向けて配設された逆止弁と、該逆止弁の開口部に延長チューブで連結されたフィルタ部材とを備え、別途用意した真空ポンプのチューブを前記外筒内のハウジングの脱気口に装着し、真空ポンプを作動して前記包材内の空気を排出した場合においては、前記逆止弁で外気が包材内に逆流しないようにした逆止弁付き包材を提案している。
【０００３】
他方、特許第５４６８１７４号公報（特許文献２参照）においては、下向きに狭まるテーパ状のＶ字状内面を備えた外固定枠と、前記外固定枠のテーパ状のＶ字状内面に配置された弾性シートと、前記弾性シートの表面に沿って配置され、前記弾性シート側の面に長さ方向に沿って幅方向の中間位置に突条を形成した断面がくさび状の押え枠とを備え、前記外固定枠内に配置した弾性シートの内面に軟質シート製の袋の開口部を介在させ、さらに前記押え枠をくさび状に押し込むことにより、前記押え枠の突条が前記袋を介して弾性シートにかみ合い、前記袋の開口部を確実に密閉するようにした袋止め用クリップを提案している。
【０００４】
そして、特許第５６３３０６３号公報（特許文献１参照）の逆止弁付き包材の充填口開閉機構として、特許第５４６８１７４号公報（特許文献２参照）における袋止め用クリップを採用して逆止弁付き包材を市場に提供している。
【先行技術文献】
【特許文献】
【０００５】
【特許文献１】特許第５６３３０６３号公報
【特許文献２】特許第５４６８１７４号公報
【発明の概要】
【発明が解決しようとする課題】
【０００６】
しかしながら、特許第５６３３０６３号公報（特許文献１参照）と特許第５４６８１７４号公報（特許文献２参照）を組み合わせてプラスチックフィルム製の包材内に内容物を充填し、真空吸引して内容物から脱気しようとした場合、当該内容物が粉状物や粒状物、特に粉状物であると粉状物が密集して通気性が低下し、脱気が困難になってしまうという問題があった。
【０００７】
そこでこの発明の目的は、内容物が粉状物や粒状物、特に粉状物であった場合であっても、最後まで完全に脱気することができる逆止弁付き包材の真空吸引構造を提供しようとするものである。
【課題を解決するための手段】
【０００８】
すなわち本発明の逆止弁付き包材の真空吸引構造は、粉状物または粒状物からなる内容物を収納する通気性袋と、前記通気性袋に収納した内容物中に内蔵した、連通気泡の発泡体からなる通気性スペーサとを備え、
前記スペーサを内蔵した通気性袋をフィルム状あるいはシート状包材に収納するとともに、
前記包材内を真空吸引して前記内容物に含まれているエアを通気性袋を経て脱気するようにしたことを特徴とするものである。
【０００９】
本発明の逆止弁付き包材の真空吸引構造は、粉状物または粒状物からなる内容物を収納する通気性袋と、前記通気性袋に収納した内容物中に内蔵した、外周に長手方向に沿った複数の凹溝を備えた棒状体ないし板状体からなる通気性スペーサとを備え、
前記スペーサを内蔵した通気性袋をフィルム状あるいはシート状包材に収納するとともに、
前記包材内を真空吸引して前記内容物に含まれているエアを通気性袋を経て脱気するようにしたことをも特徴とするものである。
なお、前記フィルム状あるいはシート状包材とは、プラスチックフィルム製包材のみならず、紙製包材、アルミ箔製包材、またそれら複合材料製包材を含むものである。
【００１０】
本発明の逆止弁付き包材の真空吸引構造において、前記内容物を収納する通気性袋が、不織布からなることをも特徴とするものである。
【発明の効果】
【００１１】
請求項１の逆止弁付き包材の真空吸引構造によれば、前記通気性袋によって通気性袋内の全域から脱気することができ、しかも該通気性袋に収納した内容物中に内蔵したスペーサによって内容物内から最後まで完全に脱気することができる。
特に、前記通気性袋によって通気性袋内の全域から、また通気性袋に収納した内容物中に内蔵したスペーサによって内容物内から脱気するようにしたので、極めて迅速に無理なく真空吸引することができるようになった。
【００１２】
また請求項３の逆止弁付き包材の真空吸引構造によれば、前記通気性袋が不織布からなるものであり、非常に低コストで逆止弁付き包材の真空吸引構造を提供することができる。
【００１３】
請求項１の逆止弁付き包材の真空吸引構造によれば、前記スペーサが連通気泡の発泡体からなるものであり、前記内容物内から無理なく脱気することができる。
【００１４】
請求項２の逆止弁付き包材の真空吸引構造によれば、前記スペーサが外周に長手方向に沿った複数の凹溝を備えた棒状体ないし板状体からなるものであり、前記内容物内から無理なく脱気することができる。
また前記スペーサが連通気泡の発泡体の場合に比して、内容物が連通気泡の発泡体に入り込んでしまうことがないため、内容物を取り出して使用する場合に手間が少なくて済む。
【図面の簡単な説明】
【００１５】
【図１】本発明の逆止弁付き包材の真空吸引構造を構成する通気性袋とそれに内蔵するスペーサを示すものであり、（ａ）はスペーサとして連通気泡の発泡体を、（ｂ）はスペーサとして外周に長手方向に沿った複数の凹溝を備えた棒状体（ないし板状体）を用いた場合の、それぞれ概略斜視図である。
【図２】（ａ），（ｂ）はそれぞれ通気性袋とそれに内蔵したスペーサを示す概略断面図である。
【図３】フィルム状あるいはシート状包材内に通気性袋とそれに内蔵したスペーサを収納し、フィルム状あるいはシート状包材の充填口を開いて内容物を充填しようとする状態を示す概略斜視図である。
【図４】フィルム状あるいはシート状包材の充填口を袋止め用クリップで閉じようとする状態を示す概略斜視図である。
【図５】充填口を袋止め用クリップで閉じ、真空ポンプで脱気しようとする状態の概略斜視図である。
【図６】充填口を袋止め用クリップで閉じ、包材内を脱気するために真空ポンプを脱気口に取り付けた状態の概略斜視図である。
【図７】包材内を脱気するために真空ポンプで吸引している状態の概略斜視図である。
【図８】包材内を真空吸引し、通気性袋内が脱気された状態の概略斜視図である。
【図９】本発明に係る袋止め用クリップの一実施例を説明する結合前の状態の概略断面図である。
【図１０】結合状態の概略断面図である。
【図１１】分解した状態の概略斜視図である。
【図１２】袋止め用クリップの外固定枠に包材の充填口を取り付ける状態の概略斜視図である。
【図１３】前記外固定枠に包材の充填口を取り付け、押え枠を押し込む状態の概略斜視図である。
【図１４】前記外固定枠に押え枠を押し込んだ状態の概略斜視図である。
【図１５】前記押え枠と前記外固定枠の外面との間に差し渡したコ字状の中間止め金具により、前記押え枠の変形を防止しようとする状態の概略断面図である。
【図１６】前記押え枠と前記外固定枠の外面との間にコ字状の中間止め金具を差し渡した状態の概略断面図である。
【図１７】前記押え枠と前記外固定枠の外面との間に差し渡したコ字状の中間止め金具により、前記押え枠の変形を防止しようとする状態の概略斜視図である。
【図１８】前記押え枠と前記外固定枠の外面との間にコ字状の中間止め金具を差し渡した状態の概略斜視図である。
【図１９】逆止弁付き包材の逆止弁の保持部材を構成する各パーツの分解状態の斜視図である。
【図２０】各パーツの分解状態の斜視断面図である。
【図２１】逆止弁のハウジング、フィルタ部材のそれぞれを組み付ける経過を示す斜視断面図である。
【図２２】逆止弁のハウジング、フィルタ部材のそれぞれを組み付けた状態を示す斜視図である。
【図２３】逆止弁のハウジング、フィルタ部材のそれぞれを組み付けた状態を示す斜視断面図である。
【図２４】逆止弁のハウジング、フィルタ部材のそれぞれを連結した状態を示し、（ａ）はその斜視図、（ｂ）はその斜視断面図である。
【図２５】包材内に逆止弁の保持部材を挿入しようとする状態の概略正面図である。
【発明を実施するための形態】
【００１６】
以下、本発明の逆止弁付き包材の真空吸引構造の実施の形態を図面に基いて詳細に説明する。
図１および図２は本発明の逆止弁付き包材の真空吸引構造の１実施例を示し、真空吸引構造を構成する通気性袋１１に収納した内容物中に内蔵するスペーサ１２を示すものであり、図１（ａ）、図２（ａ）はスペーサ１２として連通気泡の発泡体１２ａを、図１（ｂ）、図２（ｂ）はスペーサ１２として外周に長手方向に沿った複数の凹溝１２ｃを備えた棒状体（ないし板状体）１２ｂを用いた場合を示すものである。
なお、図１（ｂ）、図２（ｂ）においては棒状体からなるスペーサ１２ｂを２本用いた場合について説明しているが、図１（ａ）、図２（ａ）のスペーサ１２として連通気泡の発泡体１２ａを複数本用いてもよいことは勿論である。
【００１７】
以上の構成によれば、前記通気性袋１１によって通気性袋１１内の全域から脱気することができ、しかも該通気性袋１１に収納した内容物中に内蔵したスペーサ１２によって内容物１３内から最後まで完全に脱気することができる。
特に、前記通気性袋１１によって通気性袋１１内の全域から、また通気性袋１１に内蔵したスペーサ１２によって内容物１３内から脱気するようにしたので、極めて迅速に無理なく真空吸引することができるようになった。
また、前記通気性袋１１が不織布からなるものとしたことにより、非常に低コストで逆止弁付き包材の真空吸引構造を提供することができるようになった。
ちなみに、前記不織布の原料には繊維に加工できるほとんどの物質を使用することができる。また、複数の原料を組み合わせたり、繊維長や太さなどの形状を調整することで目的・用途に応じた機能を持たせることもできる。
【００１８】
そして、前記スペーサ１２として連通気泡の発泡体１２ａを用いた場合には、前記内容物１３内の全域から無理なく脱気することができるようになった。
また、前記スペーサ１２として外周に長手方向に沿った複数の凹溝１２ｃを備えた棒状体（ないし板状体）１２ｂを用いた場合には、前記内容物１３内の全長から無理なく脱気することができるようになった。
その際、前記スペーサ１２が連通気泡の発泡体１２ａの場合に比して、内容物１３が連通気泡の発泡体１２ａに入り込んでしまうことがないため、内容物１３を取り出して使用する場合に内容物１３を連通気泡の発泡体１２ａから分離する手間が少なくて済む。
【００１９】
図３ないし図８は本発明の逆止弁付き包材の真空吸引構造をフィルム状あるいはシート状包材に適用した１実施例を示すものである。
ちなみに、前記フィルム状あるいはシート状包材とは、プラスチックフィルム製包材のみならず、紙製包材、アルミ箔製包材、またそれら複合材料製包材を含むものである。
まず、図３に示すように、スペーサ１２を内蔵した通気性袋１１をフィルム状あるいはシート状包材１４内に収納した上、前記通気性袋１１内に内容物１３を投入する。
次いで、図４に示すように別途用意しておいた袋止め用クリップ２１を、図５に示すようにフィルム状あるいはシート状包材１４の充填口１４ａに装着する。
その後、図６に示すように、包材１４内を脱気するために真空ポンプ１５を後述の逆止弁の保持部材４０の脱気口４２に取り付けた上、図７に示すように包材１４内を真空ポンプで吸引して脱気する。
図８は包材１４内を真空吸引し、通気性袋１１内が脱気された状態を示すものである。
【００２０】
前記袋止め用クリップ２１は、図９ないし図１１に示すように、下向きに狭まるテーパ状のＶ字状内面を備えた外固定枠２２を備えている。
前記外固定枠２２のテーパ状のＶ字状内面には弾性シート２３が配設される。この弾性シート２３は一定の肉厚を有し、かつ適宜の反発力を備えていて後述のリブ２４ｃと密着するものであることが望ましい。
また袋止め用クリップ２１は、前記弾性シート２３の表面に沿って配置された断面がくさび状の押え枠２４を備えており、該押え枠２４はその幅方向の中間位置に、かつその長さ方向に沿ってリブ２４ｃが形成されている。
【００２１】
断面がくさび状の前記押え枠２４は、先端の薄肉部分２４ａから徐々に厚肉になるようテーパ状に形成されており、かつその厚肉部分２４ｂの両側に長手方向に沿ってフランジ２４ｅが突設されている。
このフランジ２４ｅを形成したことにより、前記外固定枠２２の内面に沿って配置した一対の弾性シート２３の間に前記押え枠２４をくさび状に押し込む際に生じやすかった前記押え枠２４が中央部分で後方へ膨らむように変形するという問題が解消され、袋の開口部の閉止という基本的な機能が確実に達成できるようになった。
【００２２】
図１２ないし図１４はその使用状態を示す斜視図である。
まず、図１２に示すように予め前記外固定枠２２のテーパ状の内面に沿って弾性シート２３を配置し、その上で該弾性シート２３の内面にフィルム状あるいはシート状包材１４の充填口１４ａをはめ込む。２４ｃは前記押え枠２４に設けたリブである。
そして、図１３に示すように前記弾性シート２３の間に前記押え枠２４をくさび状に押し込むことにより、図１４に示すように前記押え枠２４は前記外固定枠２２内に確実に収納される。
その際、前記押え枠２４のリブ２４ｃが前記包材１４を介して弾性シート２３にかみ合い、前記包材１４の充填口１４ａを確実に密閉する。
【００２３】
このように操作することにより、図１４に示すように前記押え枠２４の弾性シート２３側の面に長手方向に沿って幅方向の中間位置に形成したリブ２４ｃが、前記包材１４を介して弾性シート２３にかみ合い、前記包材１４の充填口１４ａを確実に密閉する。
なお前記押え枠２４の、弾性シート２３側の面に長手方向に沿って幅方向の中間位置に形成したリブ２４ｃはＶ字状断面を備えていることが望ましい。そのＶ字の角度や大きさ、リブ２４ｃが連続か不連続か等は、そのサイズや使用目的等を勘案して適宜決定することができる。
【００２４】
図１２ないし図１８に示すように、前記外固定枠２２はその一方の端部に前記押え枠２４が軸ネジ２６を介して回動可能に軸着されている。そして前記外固定枠２２のどちらかの端部、ちなみに図では他方の端部には止ピン用の取付孔２７が設けられ、前記押え枠２４の先端に設けた連通孔２８を前記取付孔２７に合う位置にくるよう押え枠２４を前記外固定枠２２内に押し込む。その上で、前記取付孔２７および連通孔２８に止ピン２９をはめ込むことにより、前記押え枠２４は前記外固定枠２２内に確実に保持される。
その際、前記押え枠２４にはフランジ２４ｅを形成してあるので、前記外固定枠２２の間に前記押え枠２４をくさび状に押し込む際に生じやすかった前記押え枠２４が中央部分で後方へ膨らむように変形するという問題は生じることがない。
【００２５】
また前記押え枠２４は、図１５ないし図１８に示すように、長手方向の適宜位置において前記外固定枠２２の外面との間に差し渡されたコ字状の中間止め金具３１によりその変形を防止することができる。
すなわち、前記くさび状の押え枠２４の上端の薄肉の後端２４ｄの適所に金具用の孔３１ａを設け、前記外固定枠２２のテーパ状のＶ字状内面から外れた、例えば左右一対の下向きフランジ２２ａの長手方向の前記孔３１ａに対応する部位に孔３１ｂを設けておく。そして、コ字状の中間止め金具３１をその両端水平部を各孔３１ａおよび３１ｂに押し込んで、前記押え枠２４を前記外固定枠２２内に確実に保持するのである。
もちろん、このコ字状の中間止め金具３１と前記押え枠２４のフランジ２４ｅとを組み合わせてもよい。
【００２６】
以上の各実施例に使用される外固定枠や押え枠等の素材としては、アルミ等の金属や高密度ポリエチレンやポリプロピレン、ＡＢＳ樹脂等のプラスチック素材が好適に使用され、包材１４の素材やその充填口１４ａのサイズ、使用目的（内容物その他）等に応じて適宜決定することができる。
また弾性シートの素材も、合成ゴムやシリコンゴム、ウレタンゴム等のプラスチック発泡体等から適宜選択し、包材１４の素材やその充填口１４ａのサイズ、使用目的（内容物その他）、前記押え枠との相性等に応じて決定することができる。
【００２７】
ちなみに前記袋止め用クリップ２１は気密性を高めた素材からなる包材１４の充填口１４ａに装着して使用されるが、前記包材１４の充填口１４ａとは別の位置に逆止弁を備えた通気栓を取り付けておけば、粉末状の食品やその他の物品を空気に触れさせないで保存することができる。
なお、前記逆止弁を備えた通気栓としては、本発明者の提案した特開２００９−１９０７７５号公報や特願２０１２−２１８９４７号の真空ポンプ機構を採用することができる。
そして、粉末状の食品やその他の物品を包材１４に充填して充填口１４ａを前記袋止め用クリップ２１により密閉し、その上で前記真空ポンプ機構を用いて包材１４内の空気を吸引して脱気すれば、包材１４内を無酸素状態で長期間保持することができるようになる。
本発明者が実験したところによれば、米や豆等の穀物、茶葉やシイタケ等の生鮮食品類、乾物、穀粉等を包材１４に詰めて真空ポンプ機構で脱気したところ、包材１４は充填物とともにカチカチに硬化した状態となり、１年以上経過してもカチカチの硬化した状態に保たれたままであって何ら気密性が損なわれることはなく、充填物には変色等も見られなかった。
【００２８】
次に、図１９ないし図２５はフィルム状あるいはシート状包材１４の適所に配設される逆止弁の保持部材を説明するためのものであり、図１９は該逆止弁の保持部材を構成する各パーツの分解状態の斜視図であり、図２０は各パーツの分解状態の斜視断面図である。
後述するフィルム状あるいはシート状包材に取り付けられる逆止弁の保持部材４０は、上端に真空ポンプのチューブを装着する脱気口４２を突設した逆止弁用のハウジング４１と、該ハウジング４１内において弁口５２を前記脱気口４２側に向けて配設された逆止弁５１と、該逆止弁５１の筒状端部に延長チューブ６２で連結されたフィルタ部材６１とを備えている。６３はフィルタケース、６４はフィルタケース６３内に収納したフィルタ、６６はフィルタケース６３に突設したチューブ取付部６５に延長チューブ６２を連結するための補助チューブである。
【００２９】
上端に真空ポンプのチューブを装着するための脱気口４２を突設した前記逆止弁用のハウジング４１は、前記包材１４に適宜手段で内装される。すなわち、前記包材１４と外筒４３とを例えばプラスチックフィルムどうしの加熱による溶着や、接着剤を使用して接合する。そして前記ハウジング４１を外筒４３内にはめ込み、その上から蓋体４４を取付けて前記脱気口４２を蓋体４４の丸穴４５から突出させるのである。４６は前記脱気口４２に着脱自在に取り付けられるキャップである。
【００３０】
前記ハウジング４１内において弁口５２を前記脱気口４２側に向けて配設された逆止弁５１は、該逆止弁５１よりも大きな径の第１の保持筒５５内に保持されて前記ハウジング４１内の上部にはめ込まれる。
すなわち、前記逆止弁５１はその筒状端部に設けた外向きのフランジ５３を前記第１の保持筒５５の下端に係合することにより保持されている。なお、５４は前記逆止弁５１内に内装して前記逆止弁５１の変形を防止する筒状スペーサである。
他方、前記ハウジング４１内の下部には外向きの段差５６が形成してあり、該段差５６内に第２の保持筒５７をはめ込むとともに、該第２の保持筒５７の上部から外向きのフランジを備えたガイド筒５８を挿通し、連結筒５９を介して前記延長チューブ６２に連結されている。
【００３１】
前記ハウジング４１内において、弁口５２を前記脱気口４２側に向けて配設された逆止弁５１は、弾性素材によって弁口５２部分が外向きのアーチ状に形成されており、かつその頂部にマイナスもしくはプラス状のスリットが弁口５２として形成してある。
【００３２】
次に図２１ないし図２５において前記逆止弁の保持部材４０を構成する各パーツの組付け工程を説明する。
図２１は逆止弁５１のハウジング４１、フィルタ部材６１のそれぞれを組み付ける経過を示すものであり、前記逆止弁５１のハウジング４１と包材１４との間には前記外筒４３のような、両者を強固に接合する融着可能な連結部材を介装しておくことが望ましい。
まず、前記逆止弁５１を第１の保持筒５５に上向きにはめ込み、さらにスペーサ５４を前記逆止弁５１に取り付ける。一方、前記第２の保持筒５７の上部から外向きのフランジを備えたガイド筒５８を挿通し、その下端に連結筒５９を取り付けておく。
さらに、フィルタ部材６１のフィルタケース６３の上端には延長チューブ６２が連結されている。
【００３３】
次いで図２２および図２３に示すように、前記ハウジング４１内に逆止弁５１を装着した第１の保持筒５５を圧入し、該第１の保持筒５５とともに前記逆止弁５１を前記ハウジング４１内に取り付けて保持する。その上で前記ハウジング４１内の下部に設けた段差５６内に前記ガイド筒５８を挿通した前記第２の保持筒５７をはめ込む。
また、フィルタ部材６１のフィルタケース６３内にフィルタ６４を取り付けておく。
その状態で連結筒５９を介して前記逆止弁５１をフィルタ部材６１と連結し、前記外筒４３内に逆止弁のハウジング４１をはめ込む。
図２４（ａ），（ｂ）はそれぞれ完成状態の斜視図および斜視断面図、図２５は包材内に逆止弁の保持部材を挿入しようとする状態の概略正面図である。
【００３４】
なお、フィルム状あるいはシート状包材１４内の空気は逆止弁５１を介して真空ポンプを用いて脱気する。
【００３５】
そして、図５〜図７に示すように真空ポンプ１５のチューブを前記ハウジング４１の脱気口４２に装着する。
その後、真空ポンプ１５を作動すれば、前記包材１４内の空気は排出されるものの、前記逆止弁５１で外気が包材１４内に逆流することはない。
【産業上の利用可能性】
【００３６】
本発明の逆止弁付き包材の真空吸引構造は、包材内に各種の内容物を充填するために使用することができ、さまざまな内容物を包材に充填し、真空引きするための真空吸引構造として好適に適用することができる。
【符号の説明】
【００３７】
１１  通気性袋
１２  スペーサ
１２ａ  連通気泡の発泡体
１２ｂ  棒状体（ないし板状体）
１２ｃ  凹溝
１３  内容物
１４  フィルム状あるいはシート状包材
１４ａ  充填口
１５  真空ポンプ
２１  袋止め用クリップ
２２  外固定枠
２２ａ  フランジ
２３  弾性シート
２４  押え枠
２４ａ  薄肉部分
２４ｂ  厚肉部分
２４ｃ  リブ
２４ｄ  後端
２４ｅ  フランジ
２５  突条
２６  軸ネジ
２７  止ピン用の取付孔
２８  連通孔
２９  止ピン
３１  中間止め金具
３１ａ  金具用の孔
３１ｂ  金具用の孔
４０  逆止弁の保持部材
４１  ハウジング
４２  脱気口
４３  外筒
４４  蓋体
４５  丸穴
４６  キャップ
４７  ワッシャ
５１  逆止弁
５２  弁口
５３  フランジ
５４  筒状スペーサ
５５  第１の保持筒
５６  段差
５７  第２の保持筒
５８  ガイド筒
５９  連結筒
６１  フィルタ部材
６２  延長チューブ
６３  フィルタケース
６４  フィルタ
６５  チューブ取付部
６６  補助チューブ